(57)【要約】【課題】簡単な構成で、製造コストも極めて低減できる、机における脚支柱３の配線縦ダクト装置を提供する。【解決手段】脚支柱３の外周壁のうち一側の外面に成形された相対向する一対の蟻溝２１と、外周壁のうち一側の外面に対して離間した本体部２３を有し、該本体部２３の両側に形成されて前記一対の蟻溝２１に着脱自在に嵌合する耳片２４を備えたカバー体とからなる。【選択図】図４
2013090801.tif 000002
【特許請求の範囲】
【請求項１】
机における脚支柱の外周壁のうち一側の外面側に配線空間を形成するための配線縦ダクト装置であって、
前記外周壁のうち一側の外面に成形された相対向する一対の蟻溝と、
前記外周壁のうち一側の外面に対して離間した本体部を有し、該本体部の両側に形成されて前記一対の蟻溝に着脱自在に嵌合する耳片を備えたカバー体とからなる、
机の脚支柱における配線縦ダクト装置。
【請求項２】
前記カバー体と前記外周壁のうち一側の外面とにより囲まれる空間が、前記脚支柱の縦方向に延びる配線空間に形成されている、請求項１に記載の机の脚支柱における配線縦ダクト装置。
【請求項３】
前記外周壁のうち前記一対の蟻溝が対向する側の外周壁は、前記蟻溝が対向していない外周壁よりも内側に形成されている、請求項１または２に記載の机の脚支柱における配線縦ダクト装置。
【請求項４】
机における天板の広幅面と直交する投影視において、前記カバー体は複数の前記脚支柱の外周壁で囲まれる領域内に配置されている請求項１乃至３いずれかに記載の机の脚支柱における配線縦ダクト装置。
【請求項５】
前記カバー体の本体部は断面山形に形成されている、請求項１乃至４いずれかに記載の机の脚支柱における配線縦ダクト装置。
【発明の詳細な説明】
【技術分野】
【０００１】
本発明は、事務用等の机（テーブル）の脚支柱における配線縦ダクト装置の構成に関するものである。
【背景技術】
【０００２】
従来から、特許文献１〜特許文献３等において、事務用などの机の脚支柱の一側外面に、当該脚支柱の高さ寸法の略全体にわたって、着脱自在なカバー体を装着し、該カバー体よりも内側の空間を配線縦ダクトに構成することが知られている。
【０００３】
そのうち、特許文献１及び２の構成では、脚支柱の内部に縦方向に連通する少なくとも１つの配線用空間が形成されており、脚体の外周壁の一側に配線用空間に連通する縦長の開口を有し、この縦長の開口を外側から覆う縦長のカバー体は脚体の外周壁に対して着脱自在となる係合部または係止片を有したものである。
【０００４】
他方、特許文献３では、脚体の外周壁よりも外側に配線用空間を形成するために、テーブル等の机における支持脚の前端部を覆い、左右両側壁の内面に係止突部を有し、前端に係合孔を有するカバー取付け材と、後端が開放され、前方に向かって突出し、後端に係止片を有するカバー部材とを備え、カバー取付け材の係止突部を支持脚の左右一対の縦長の係合溝に嵌合させることで取付ける一方、カバー取付け材の係合孔にカバー部材の係止片を係止させることで、カバー取付け材よりも外周であって、カバー部材よりも内径部に縦に連通する配線空間を形成したものが開示されている。
【先行技術文献】
【特許文献】
【０００５】
【特許文献１】特開２００２−１２５７６６号公報（図１〜図４参照）
【特許文献２】特開２００４−２０２０２９号公報（図１〜図４参照）
【特許文献３】特開２００５−１３１２８１公報（図１〜図４参照）
【発明の概要】
【発明が解決しようとする課題】
【０００６】
上記特許文献１及び２の配線縦ダクト装置では、脚体の外周壁の一側に配線用空間に連通する縦長の開口を有し、この縦長の開口を縦長のカバー体にて外側から覆う構成であるから、配線縦ダクトが不要な机に採用すると、カバー体を外した状態の脚体の外周壁の一側に縦長の開口が顕れて外観が見苦しくなるという問題があった。
【０００７】
他方、特許文献３の構成では、配線縦ダクトが脚支柱の外面より外側に形成されるものの、構成部品がカバー取付け材とカバー部材との２つの部品となり、製造コストが高くなると共に、脚支柱への装着の手間も掛かるという問題があった。
【０００８】
本願発明は、上記従来技術の問題点を解決し、簡単な構成で、且つ配線用のカバー部材を不要とする場合にも脚支柱の外観が見苦しくないようにした机の脚支柱における配線縦ダクト装置を提供することを目的とするものである。
【課題を解決するための手段】
【０００９】
上記目的を達成するため、本願発明は、机における脚支柱の外周壁のうち一側の外面側に配線空間を形成するための配線縦ダクト装置であって、前記外周壁のうち一側の外面に成形された相対向する一対の蟻溝と、前記外周壁のうち一側の外面に対して離間した本体部を有し、該本体部の両側に形成されて前記一対の蟻溝に着脱自在に嵌合する耳片を備えたカバー体とからなるものである。
【００１０】
請求項２に記載の発明は、請求項１に記載の机の脚支柱における配線縦ダクト装置において、前記カバー体と前記外周壁のうち一側の外面とにより囲まれる空間が、前記脚支柱の縦方向に延びる配線空間に形成されているものである。
【００１１】
請求項３に記載の発明は、請求項１または２に記載の机の脚支柱における配線縦ダクト装置において、前記外周壁のうち前記一対の蟻溝が対向する側の外周壁は、前記蟻溝が対向していない外周壁よりも内側に形成されているものである。
【００１２】
請求項４に記載の発明は、請求項１乃至３いずれかに記載の机の脚支柱における配線縦ダクト装置において、机における天板の広幅面と直交する投影視において、前記カバー体は複数の前記脚支柱の外周壁で囲まれる領域内に配置されているものである。
【００１３】
請求項５に記載の発明は、請求項１乃至４いずれかに記載の机の脚支柱における配線縦ダクト装置において、前記カバー体の本体部は断面山形に形成されているものである。
【発明の効果】
【００１４】
本願発明によれば、配線縦ダクト装置の構成として、脚支柱の外周壁に形成されている相対向する一対の蟻溝と、外周壁の外面から離間した本体部と該本体部の両端から延びる一対の耳片とからなるカバー体だけであり、この一対の耳片を一対の蟻溝に着脱自在に嵌合する構成であるから、構造が極めて簡単となり、製造コストも極めて低減させることができる。またカバー体の装着作業性も至極簡単である。
【００１５】
請求項２に記載の発明によれば、前記カバー体と前記外周壁のうち一側の外面とにより囲まれる空間が、前記脚支柱の縦方向に延びる配線空間に形成されているものであるから、外周壁で囲まれる脚支柱の剛性を高くしながら、該脚支柱の外面側に配線空間を簡単に作ることができる。
【００１６】
請求項５に記載の発明によれば、前記カバー体の本体部は断面山形に形成されているものであるから、カバー体が取付けられている状態の脚支柱の外観が見苦しくないという効果を奏する。
【図面の簡単な説明】
【００１７】
【図１】（Ａ）は本願発明を適用した第１実施例のテーブルの斜視図、（Ｂ）テーブルの天板に設けられた配線コードの収納部のみを示す斜視図である。
【図２】天板を仮想線で示す平面図である。
【図３】（Ａ）は脚支柱と連結梁との連結部を示す分解斜視図、（Ｂ）は要部拡大断面図である。
【図４】（Ａ）は脚支柱に対する配線縦ダクトの装着状態を示す側面図、（Ｂ）は脚支柱と配線縦ダクトの分解斜視図である。
【図５】（Ａ）は脚支柱と連結ブロックの分解斜視図、（Ｂ）は他の方向から見た斜視図、（Ｃ）は脚支柱に対する配線縦ダクトの装着状態を示す要部拡大断面図、（Ｄ）は配線縦ダクトと脚支柱との取付け部を示す一部切欠き断面図である。
【図６】脚支柱に化粧カバーを装着した断面図である。
【図７】第２実施例の机の分解斜視図である。
【図８】（Ａ）は図７の VIIIA−VIIIA 線矢視断面図、（Ｂ）は図８（Ａ）の VIIIB−VIIIB 線矢視拡大断面図、（Ｃ）は配線縦ダクトと脚支柱との取付け部を示す一部切欠き断面図である。
【図９】第２実施例の配線縦ダクトの斜視図である。
【図１０】脚支柱に化粧カバーを装着した断面図である。
【図１１】図７のXI−XI線矢視で示す脚体における横梁材の断面図である。
【発明を実施するための形態】
【００１８】
［テーブルの概略構成］
次に、本発明を、図面を参照しながら詳細に説明する。本発明において、机とは作業用のテーブルや事務用の机を含む趣旨である。図１〜図６に示す第１実施例では、テーブル１は、矩形状の天板２とその下面側で前後左右に配置される４本の脚支柱３を有する。
【００１９】
図４（Ｂ）、図５（Ａ）〜図５（Ｃ）、図６に示すように、各脚支柱３はその横断面がほぼ矩形の中空筒状の押出成形品である。脚支柱３の外周壁は、テーブル２の外側に対面した互いに直交する一対の外向き外周壁３ａ，３ｂと、テーブル２の内側に向いた互いに直交する一対の内向き外周壁３ｃ，３ｄを備えている。なお、外周壁３ｃ，３ｄの間に面取り部３ｅが形成されていても良い。
【００２０】
各脚支柱３の上端には連結ブロック４の基部５が差し込まれる。基部５の外周には平面視Ｌ字状のフランジ６が形成されている。各脚支柱３の上端の肉厚部に形成された取付け凹部７に対してフランジ６の取付け孔６ａを介してボルト（ネジ）８にて締着する（図５（Ａ）参照）。なお、より一層強固に固定するために、脚支柱３の内向き外周壁３ｃ，３ｄまたは面取り部３ｅ側から基部５側面にネジ１８止めしても良い。
【００２１】
連結ブロック４の基部５の上側に平面視でほぼ矩形状の連結板９が一体的に形成されている。連結板９は天板２の下面側で当該天板２の中央側に向かうように配置される。連結板９の自由端側の段落ち部１０はテーブル１の前後方向または左右方向に隣接する脚支柱３，３を連結するための連結梁１１が支持される部位である。段落ち部１０には連結梁１１に穿設された係合孔１２が外嵌する位置決め突起１３が一体的に設けられている。
【００２２】
天板２は連結板９及び連結梁１１の上面に載る。連結板９における複数個所の挿通孔１４及び位置決め突起１３の挿通孔１５を介して下側からのボルト１６が天板２下面の鬼目ナット１７に締着することで天板２が固定される（図３（Ａ），図３（Ｂ）参照）。
【００２３】
［配線縦ダクト装置］
次に、本発明の配線縦ダクト装置の構成については説明する。上記各脚支柱３における外周壁のうち一側（本実施例では一対の内向き外周壁３ｃ，３ｄ）の外面に、一対の蟻溝２１が相対向するように成形されている（図４（Ｂ），図５（Ａ）〜図５（Ｃ），図６参照）。より詳しくは、一対の蟻溝２１が対向する側の内向き外周壁３ｃ，３ｄは、蟻溝２１が対向していない外向き外周壁３ａ，３ｂよりも内側に形成されている。つまり、内向き外周壁３ｃ，３ｄの１辺の長さが外向き外周壁３ａ，３ｂの１辺の長さよりも短く形成されている。そして、各蟻溝２１は１つの外向き外周壁３ａ（３ｂ）とそれに隣接する内向き外周壁３ｃ（３ｄ）との角部に形成されている。
【００２４】
配線縦ダクト装置を構成するカバー体２２は、内向き外周壁３ｃ，３ｄの外面に跨がって且つ離間した本体部２３と、該本体部２３の両側に形成されて一対の蟻溝２１に着脱自在に嵌合する耳片２４とを備える。そして、カバー体２２の本体部２３は断面山形に形成されている。ここで、断面山形とは、本体部２３の横断面が三角形の２辺、もしくは截頭三角形の３辺（図４（Ｂ），図５（Ｃ）〜図５（Ｄ）参照）に相当するものであって良く、本体部２３を構成する主たる２辺が凸湾曲部を介して交わる角度が鋭角であっても良い。
【００２５】
カバー体２２を内向き外周壁３ｃ，３ｄの外面に対して離間させた状態で、一対の耳片２４を一対の蟻溝２１に嵌合させると、カバー体２２と内向き外周壁３ｃ，３ｄの外面とにより囲まれる空間が、脚支柱３の縦方向に延びて配線用コード２５を挿通できる配線空間２８となる（図５（Ｃ）参照）。カバー体２２を薄板にて形成することにより、本体部２３を掴んだとき、一対の耳片２４間の距離を縮めるように弾性変形し易くなるので、一対の蟻溝２１に一対の耳片２４を嵌合し易くなる。
【００２６】
実施例の図面で理解できるように、テーブル１における天板２の広幅面と直交する投影視において、カバー体２２は複数（４本）の脚支柱３の各外向き外周壁３ａ，３ｂで囲まれる平面視で矩形状の領域内に配置されていることになる。
【００２７】
カバー体２２における本体部２３の上端には配線用コード２５を配線空間２８から外に導くためのダクト開口部２６が切欠き形成されている（図４（Ｂ）参照）が、本体部２３の下端にもダクト開口部２７を設けることで、床側から配線縦ダクト装置の配線空間２８に配線用コード２５を導き入れ易くできる。なお、本体部２３の下端側の内向き外周壁３ｃ，３ｄの外面からの離間寸法を、上端側の離間寸法よりも小さくなるように、換言すれば図５（Ａ）の一点鎖線で示すように、下窄まり状に形成すれば、テーブル１を斜め上から見たとき、カバー体２２の存在感を少なくできる。また、天板２の中央部などの開口部３１には、４つの角部に切欠き部２９を設けて配線用コード２５を導き入れ易くした配線受けトレイ３０を設けることで、天板２上へのパソコン等の電気製品のための配線用コード２５の処理を容易にしている（図１（Ａ），図１（Ｂ）参照）。
【００２８】
図６に示すように、脚支柱３にカバー体２２を取付けない場合に、当該脚支柱３の内向き外周壁３ｃ，３ｄの外面を覆う化粧カバー３２の左右両側縁を一対の蟻溝２１に嵌め入れる。これによって、脚支柱３の外周壁の段差を目立たなくして、外観が良くなる。
【００２９】
［第２実施例］
図７〜図１０に示す第２実施例では、事務用などの机３５における左右の脚体３６は、前後の脚支柱３６ａ，３６ｂの上端間を前後長手の横梁材３６ｃにて連結した下向きコ字状の門型である（図７、図８（Ａ）参照）。左右の脚体３６の後端上部間を横長の連結梁部材３７にて連結している。横梁材３６ｃに固定したスペーサブロック３８を介して天板３９が固定されている。
【００３０】
連結梁部材４５は、金属板を屈曲形成（板金形成）したもので、側断面がコ字状の外横梁の内面に同じく内横梁が溶接等にて固着されている。外横梁における下板には配線受けトレイ３７が取付けられている。
【００３１】
なお、天板３９の後端縁に開口部４３を有し、不要時には開口部４３は開閉自在もしくは着脱自在な蓋体４４にて覆われている。開口部４３の下方には、配線用コード４２の中途部を受ける配線受けトレイ４５が連結梁部材３７に着脱自在に装着される。
【００３２】
前後の脚支柱３６ａ，３６ｂの横断面はほぼ矩形筒状であり、その４側の外周壁４６ａ，４６ｂ，４６ｃ，４６ｄのうち、内向き外周壁４６ｃ，４６ｄのいずれか一方に、一対の蟻溝４７が相対向して形成されている（図８（Ｂ）参照）。そして、一対の蟻溝４７が対向する側の内向き外周壁４６ｃは、蟻溝４７が対向していない３辺の外周壁４６ａ，４６ｂ，４６ｄよりも内側に形成されている。つまり、内向き外周壁４６ｃの１辺の長さが他の外周壁４６ａ，４６ｂ，４６ｄの１辺の長さよりも短く形成されている。
【００３３】
実施例では、机３５の後ろ側の脚支柱３６ｂには、天板３９上にパソコン等の電気製品のための配線用コード４２を床側から導くための配線縦ダクト装置としてのカバー体４１が上記一対の蟻溝４７に対して着脱自在に設けられている（図７、図８（Ａ）参照）。
【００３４】
配線縦ダクト装置を構成するカバー体４１は、断面山形の本体部４８と、該本体部４８の両側に形成されて一対の蟻溝４７に着脱自在に嵌合する耳片４９とを備える。実施例では、本体部４８は内向き外周壁４６ｃの外面から離間している。ここで、断面山形とは、図８（Ｂ）及び図９に示されているように、本体部４８の横断面が三角形の２辺、もしくは截頭三角形の３辺に相当するものであって良い。いずれにしても、本体部４８と内向き外周壁４６ｃで囲まれる空間が配線空間５０となる。
【００３５】
カバー体４１の本体部４８の２辺のうち、内向き外周壁４６ｃの外面に対してほぼ直角に延びる辺を、天板３９の広幅面と直交する投影視において、天板３９の領域内の中央寄りに位置し、内向き外周壁４６ｃの外面に対して傾斜状に延びる辺は天板３９の領域内の外側寄りに位置させる（図８（Ｂ）参照）と、机３５を天板３９の角より外側から見るとき、カバー体４１が見えにくくなる。
【００３６】
このカバー体４１においても、本体部４８の上下端に、配線用コード４２を配線空間５０に対して出し入れし易くするためのから外に導くためのダクト開口部５１、５２が切欠き形成されている（図９参照）。このように形成すると、左右の脚支柱に対してカバー体４１を上下逆にして装着したとき、本体部４８のち、内向き外周壁４６ｃの外面に対して傾斜状に延びる辺が天板３９の領域内の外側寄りに位置させることができるから、カバー体４１の種類を１つで済ますことができる。
【００３７】
図１０に示すように、脚支柱３６にカバー体４１を取付けない場合に、当該脚支柱３６の内向き外周壁４６ｃの外面を覆う化粧カバー５３の左右両側縁を一対の蟻溝４７に嵌め入れる。これによって、脚支柱３６の外周壁の段差を目立たなくして、外観が良くなる。
【００３８】
図１１は脚体３６における前後長手の横梁材３６ｃの下面に横長の配線ダクトとしてのカバー体５４を着脱自在に設けた断面図である。この場合も横梁材３６ｃの下面側の外周壁５５の両端に一対の蟻溝５６を相対向して形成する。カバー体５４は、第１実施例または第２実施例の断面形状を採用して良い。
【００３９】
いずれの実施例であっても、カバー体２１、４１は金属板または合成樹脂製板にて形成して良い。蟻溝２１、４７は脚支柱の上下方向に沿って連続して設けることが良く、耳片２４、４９は本体部の上下方向に沿って連続または適宜間隔を空けても良い。なお、本発明の請求項にいう「脚支柱の外周壁のうち一側」とは、横断面が矩形もしくは多角形である場合に、上下に延びる１辺乃至隣接する複数の辺を言い、外周壁の全体ではない。
【００４０】
本発明の配線縦ダクト装置の構成としては、脚支柱の外周壁に形成されている相対向する一対の蟻溝と、外周壁の外面から離間した本体部と該本体部の両端から延びる一対の耳片とからなるカバー体だけであり、この一対の耳片を一対の蟻溝に着脱自在に嵌合する構成であるから、構造が極めて簡単となり、製造コストも極めて低減させることができる。またカバー体の装着作業性も至極簡単である。
【符号の説明】
【００４１】
１  テーブル
２，３９    天板
３，３６ａ，３６ｂ  脚支柱
３ａ，３ｂ，３ｃ，３ｄ，４６ａ〜４６ｄ    外周壁
２１，４７，５６    蟻溝
２２，４１，５４    カバー体
２３，４８  本体部
２４，４９    耳片
【図１】
2013090801.tif 000003
【図２】
2013090801.tif 000004
【図３】
2013090801.tif 000005
【図４】
2013090801.tif 000006
【図５】
2013090801.tif 000007
【図６】
2013090801.tif 000008
【図７】
2013090801.tif 000009
【図８】
2013090801.tif 000010
【図９】
2013090801.tif 000011
【図１０】
2013090801.tif 000012
【図１１】
2013090801.tif 000013